(57)【要約】【課題】操作部と本体間の酸素富化空気を送出する管が外れることのない酸素富化機を提供すること。【解決手段】酸素富化空気を発生させる酸素富化膜ユニット（図示せず）を制御する制御手段（図示せず）を有する本体１と、本体１に設けられ酸素富化空気を吐出する吐出口６と、本体１から分離して配設される操作部３０と、制御手段と操作部３０を電気的に接続するリード線（電気情報伝達手段）３１と、吐出口６から操作部３０に酸素富化空気を送るチューブ（空気通路手段）１１と、リード線３１とチューブ１１を収納する配管部材（配管手段）３３とを備え、チューブ１１の長さを、リード線３１の長さよりも長くしたもので、操作部３０や配管部材３３が引っ張られても、チューブ１１には張力が加わらず、チューブ１１の外れを防止可能な酸素富化機を提供できる。【選択図】図２
2007296051.tif 000002
【特許請求の範囲】
【請求項１】
酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記吐出口と操作部間の前記空気通路手段の長さを、前記取出し口と操作部間の前記電気情報伝達手段の長さよりも長くして、前記操作部または前記配管手段が引っ張られた際に、前記空気通路手段に張力が加わらなくしたことを特徴とする酸素富化機。
【請求項２】
酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記配管手段の一端を前記操作部に連結固定して、前記操作部と配管手段との間に張力が加わった際に、その内側の空気通路手段及び電気情報伝達手段に張力が加わらなくしたことを特徴とする酸素富化機。
【請求項３】
酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記配管手段の一端を前記本体に連結固定して、前記本体と配管手段との間に張力が加わった際に、その内側の空気通路手段及び電気情報伝達手段に張力が加わらなくしたことを特徴とする酸素富化機。
【請求項４】
酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記配管手段の一端を前記本体に、他端を前記操作部に、それぞれ連結固定すると共に、前記吐出口と操作部間の前記空気通路手段の長さ及び前記取出し口と操作部間の前記電気情報伝達手段の長さを、前記配管手段の長さより長くして、前記操作部または前記配管手段が引っ張られた際に、前記空気通路手段及び電気情報伝達手段に張力が加わらなくしたことを特徴とする酸素富化機。
【請求項５】
電気情報伝達手段の取出し口を、吐出口の近傍に設けたことを特徴とする請求項１〜４のいずれか１項に記載の酸素富化機。
【請求項６】
操作部に配されると共に空気通路手段が連結される接続口を設け、前記接続口の近傍に電気情報伝達手段の取出し口を設けた請求項１〜５のいずれか１項に記載の酸素富化機。
【請求項７】
配管手段を蛇腹形状とし、操作部または本体の、前記配管手段と連結固定される部分に、前記蛇腹形状と嵌合する凹凸部を形成した請求項２〜６のいずれか１項に記載の酸素富化機。
【発明の詳細な説明】
【技術分野】
【０００１】
本発明は、酸素富化空気を使用者に提供する酸素富化機に関するものである。
【背景技術】
【０００２】
従来の酸素富化機は、空気中の酸素を濃縮して酸素富化空気を発生させる装置本体と、これに接続され酸素富化空気を吐出する酸素吐出口とを備え、前記酸素吐出口を口の部分に位置させることで酸素吸入できるようにしてあるのが一般的であった（例えば、特許文献１参照）。
【特許文献１】特開平１０−２３４８３６号公報
【発明の開示】
【発明が解決しようとする課題】
【０００３】
しかしながら、上記従来の酸素富化機の構成では、酸素富化機を運転するための操作手段が本体外郭面に設けられているため、ソファーや、マッサージ機などに座りながら酸素富化機を使用する場合、または前記に限らず使用者が酸素富化機本体から離れた場所で使用する場合などにおいては、操作手段まで使用者の手が容易に届かないため、操作性が非常に悪かった。
【０００４】
これを解決する方法としては、操作手段を無線方式のリモコンにすることは可能であるが、コストが大幅にＵＰすることや、酸素富化機本体は、一般にソファーの裏側など人の目に付かない場所、すなわち無線方式のリモコンでは操作不可能な場所に設置される場合が多く、無線方式の採用は困難であった。
【０００５】
そこで、操作手段を有線方式のリモコンとすることで、前記無線方式の場合の課題は解決できるものの、操作手段と本体とを接続する配線と、本体から酸素吐出口へ酸素富化空気を送出するための管の両方が、本体より露出しているため、見栄えも悪く、またそれらの線や、管の収納も非常に困難になるという課題があった。
【０００６】
また、操作手段を取扱う際に配線と酸素富化空気を送出するための管の双方に張力が加わった時に配線が断線したり、酸素富化空気を送出するための管が接続部から抜けてしまうといった課題もあった。
【０００７】
本発明は、上記従来の課題を解決するもので、有線で、確実な遠隔操作が可能な操作手段を備え、見栄えが良好で且つ収納性にも優れさらに配線の断線防止と酸素富化空気を送出するための管の抜け防止ができる酸素富化機を提供することを目的とする。
【課題を解決するための手段】
【０００８】
前記従来の課題を解決するために、本発明の酸素富化機は、酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記吐出口と操作部間の前記空気通路手段の長さを、前記取出し口と操作部間の前記電気情報伝達手段の長さよりも長くして、前記操作部または前記配管手段が引っ張られた際に、前記空気通路手段に張力が加わらなくしたもので、本体と操作部の間に張力が加わったとしても空気通路手段には張力が加わらず本体の吐出口や操作部に設けた接続口から空気通路手段が抜けるのを防止できる酸素富化機を提供できる。
【発明の効果】
【０００９】
本発明の酸素富化機は、有線で、確実な遠隔操作が可能な操作手段を備え、見栄えが良好で且つ収納性にも優れ、さらに電気配線の断線や酸素富化空気を送る管の抜けなどが起こることが無い。
【発明を実施するための最良の形態】
【００１０】
第１の発明は、酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記吐出口と操作部間の前記空気通路手段の長さを、前記取出し口と操作部間の前記電気情報伝達手段の長さよりも長くして、前記操作部または前記配管手段が引っ張られた際に、前記空気通路手段に張力が加わらなくしたもので、空気通路手段には張力が加わらず本体の吐出口や操作部に設けた接続口から空気通路手段が抜けるのを防止できる酸素富化機を提供できる。
【００１１】
第２の発明は、酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記配管手段の一端を前記操作部に連結固定して、前記操作部と配管手段との間に張力が加わった際に、その内側の空気通路手段及び電気情報伝達手段に張力が加わらなくしたもので、操作部と配管手段の間に張力が加わったとしても操作部と配管手段が連結されている為、配管手段内部の空気通路手段には張力が加わらず操作部に設けた接続口から空気通路手段が抜けるのを防止でき、同様に電気情報伝達手段にも張力が加わらず電気情報伝達手段と操作手段との間での断線を防止することができる酸素富化機を提供できる。
【００１２】
第３の発明は、酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記配管手段の一端を前記本体に連結固定して、前記本体と配管手段との間に張力が加わった際に、その内側の空気通路手段及び電気情報伝達手段に張力が加わらなくしたもので、本体と配管手段の間に張力が加わったとしても本体と配管手段が連結されている為、配管手段内部の空気通路手段には張力が加わらず本体の吐出口から空気通路手段が抜けるのを防止でき、同様に電気情報伝達手段にも張力が加わらず電気情報伝達手段と制御手段との間での断線を防止することができる酸素富化機を提供できる。
【００１３】
第４の発明は、酸素富化空気を発生させる酸素富化手段と前記酸素富化手段の動作を制御する制御手段とを有する本体と、前記本体の表面に設けられ前記酸素富化空気を吐出する吐出口と、前記本体から分離して配設され操作手段を有する操作部と、前記本体の表面に設けられ前記制御手段と前記操作手段を電気的に接続する電気情報伝達手段の取出し口と、前記吐出口から前記操作部に酸素富化空気を送る空気通路手段と、前記電気情報伝達手段及び空気通路手段を収納する配管手段とを備え、前記配管手段の一端を前記本体に、他端を前記操作部に、それぞれ連結固定すると共に、前記吐出口と操作部間の前記空気通路手段の長さ及び前記取出し口と操作部間の前記電気情報伝達手段の長さを、前記配管手段の長さより長くして、前記操作部または前記配管手段が引っ張られた際に、前記空気通路手段及び電気情報伝達手段に張力が加わらなくしたもので、本体の吐出口や操作部に設けた接続口から空気通路手段が抜けるのを防止でき、同様に電気情報伝達手段が本体と操作部の間で断線するのを防止できる酸素富化機を提供できる。
【００１４】
第５の発明は、第１〜第４のいずれか一つの発明の吐出口の近傍に、電気情報伝達手段の取出し口を設けたもので、配管手段への空気通路手段と電気情報伝達手段の収納作業が容易な酸素富化機を提供できる。
【００１５】
第６の発明は、第１〜第５のいずれか一つの発明の操作部に配されると共に空気通路手段が連結される接続口を設け、前記接続口の近傍に電気情報伝達手段の取出し口を設けたもので、配管手段への空気通路手段と電気情報伝達手段の収納作業が容易な酸素富化機を提供できる。
【００１６】
第７の発明は、第２〜第６のいずれか一つの発明の配管手段を蛇腹状の管で構成したもので、本体及び操作部に蛇腹状の管に嵌合する凹凸部を形成し、それに配管手段を嵌合させれば、連結固定の強度が高く信頼性に優れた酸素富化機を提供できる。
【００１７】
以下、本発明の実施の形態について、図面を参照しながら説明する。なお、この実施の形態によって本発明が限定されるものではない。
【００１８】
（実施の形態１）
以下、本発明の第１の実施の形態における酸素富化機について、図１から図６を用いて説明する。図１は、本実施の形態における酸素富化機の本体の正面図、図２は、同本体の側面図、図３（ａ）は、同本体の裏面図、（ｂ）は、本体外郭部品を取除いた同本体の裏面図、図４は、同本体の断面図、図５は、同酸素富化機の操作部の断面図、図６は同酸素富化機の操作部の斜視図である。
【００１９】
図１から図６において、酸素富化機本体１（以下、「本体１」と称す）の内部には、前記本体１内に吸引された空気の酸素の濃度を高める、いわゆる酸素富化空気を生成する酸素富化膜（図示せず）からなり酸素富化手段である酸素富化膜ユニット２を内設している。吸引された空気が酸素富化膜ユニット２を通過することで空気の酸素濃度は、通過前の通常の２１％（窒素約７９％）から、約３０％（窒素約７０％）に高められる。
【００２０】
また、本体１の内部には、本体１の背面に設けた吸気口３から前記本体１内に外気を吸引する吸気手段１２が設けられ、その吸気手段１２により吸引された空気が、酸素富化膜ユニット２に送られ、酸素富化膜ユニット２の酸素富化膜を通過しない空気は、本体１の前面に設けた排気口４から外部へ排出される。
【００２１】
５は、前記本体１内に吸引された空気の一部を、酸素富化膜ユニット２の酸素富化膜を通して吸引する吸引手段となるポンプで、ポンプ５の吐出側は本体１の側面に設けられた吐出口６と連通され、さらにその吐出口６には、酸素富化空気を外部に吐出する酸素富化空気吐出手段７が連結されている。
【００２２】
前記ポンプ５及び吸気手段１２の運転は、本体１内に配された制御手段である基板１０によって制御されている。前記基板１０と、本体１の外部に分離して設けられ本体１の運転、停止等の制御操作を行うための操作部３０内部に備えた操作基板３２とは、導体であるリード線３１で接続されている。一方酸素富化空気吐出手段７は、使用者の耳、首元に掛けるヘッドセット８と、ヘッドセット８の一部に回動又は傾動自在に設けられ使用者の口元に位置調整可能なマウス９と、変形自在なように軟体からなり一端が操作部３０に接続された連結管１５から構成されている。
【００２３】
本体１の吐出口６と操作部３０の間には、空気通路手段であるチューブ１１が接続され、さらにそのチューブ１１とマウス９が操作部３０内と連結管１５を介して連通しており、吐出口６から吐出された酸素富化空気がマウス９より使用者の口元に吐出されるようになっている。
【００２４】
以上のように、操作部３０が本体１から分離して配設されているので、本体１から離れたところから本体１の運転、停止等の制御操作を行うことができるものであり、操作部３０及び本体１を各々ユニット化して机や椅子、ソファー、マッサージ機等に着脱自在にすれば、ユニット化された操作部３０及び本体１を各種机や椅子、ソファー、マッサージ機等に着脱自在に取り付けて使用することもできる。
【００２５】
本実施の形態の特徴は、吐出口６から操作部３０までの経路において、酸素富化空気を送出する空気通路手段となるチューブ１１と電気情報伝達手段であるリード線３１の双方を管状の配管部材３３で同時に包み込む構成にあり、上記配管部材３３の長さは、チューブ１１及びリード線３１の双方の長さより短く設定している。
【００２６】
吐出口６の近傍には、本体１のリード線３１の出口Ａ１３が設けられ、またチューブ１１が接続される接続口３４の近傍に操作部３０のリード線３１の出口Ｂ３５がそれぞれ設けられている。また図５に示すように、配管部材３３は、蛇腹状の管で構成されており、本体１及び操作部３０に形成した凹凸部３９に係合して連結固定されている。
【００２７】
また配管部材３３の長手方向の全域にはスリット３６が設けられ、操作手段３０と本体１間の配管部材３３へのチューブ１１とリード線３１の収納作業は、上記スリット３６を広げてその隙間から順次チューブ１１とリード線３１を配管部材３３内部に押し込むようにして行われる。
【００２８】
１４は、本体１を机や椅子、ソファー、マッサージ機等に取り付ける為の取付け具であり操作部３０の取付部３８に回動自在に取り付けられている。また３７は、酸素富化空気吐出手段７を使用しない時に、それを引っ掛けて保持しておくための保持部であり、操作部３０の取付部３８に一体に設けられている。
【００２９】
次に上記構成に基づく酸素富化機の動作について説明する。
【００３０】
酸素富化空気を吸引する場合の使用者の体勢としては、主にリラックスできる状態であるのはいうまでもなく、ソファー、ベッド、マッサージ機などに座ったり、寝ている状態で使用することが多い。この場合に、本体１は、床面などに置かれて使用されるために、操作部が従来のように本体１の外観面に設置されていると、使用者が体を起こさないと操作部に手が届かないことがある。
【００３１】
しかしながら、本実施の形態によれば、操作部３０を本体１から分離し、本体１内の制御手段である基板１０と操作部３０内の操作手段である操作基板３２をリード線３１で接続し、遠隔操作できるようにすると共に、前記リード線３１の本体１からの出口Ａ１３を酸素富化空気吐出手段７のチューブ１１を接続する吐出口６の近傍に設け、更に吐出口６から操作部３０までの間は、チューブ１１とリード線３１の双方を一つの配管部材３３で同時に包み込むことで、操作部３０までの配管上の見栄えが向上し、且つ使用時、及び収納時においてリード線３１、チューブ１１が絡まるなどの不便さも解消することができる。
【００３２】
また、上記配管部材３３の両端が、本体１と操作部３０の各々に連結され、且つ配管部材３３の長さが空気通路手段であるチューブ１１及び電気情報伝達手段であるリード線３１の双方の長さより短く形成されている為、操作部３０を取扱う際に、本体１と操作部３０の間に張力が加わったとしてもチューブ１１とリード線３１の双方に張力が加わらず、本体１の吐出口６や操作部３０の接続口３４からチューブ１１が抜けるのを防止でき、同様にリード線３１が本体１と操作部３０の間で断線するのを確実に防止することができる。
【００３３】
また吐出口６の近傍に、本体１のリード線３１の出口Ａ１３を設けたことにより、配管部材３３へのチューブ１１とリード線３１の収納作業を容易にすることができる。
【００３４】
また接続口３４の近傍に操作部３０のリード線３１の出口Ｂ３５を設けたことにより、配管部材３３へのチューブ１１とリード線３１の収納作業を容易にすることができる。
【００３５】
また図２、図５に示すように、配管部材３３を蛇腹状の管で構成したことにより、本体１及び操作部３０に形成した凹凸部３９に嵌合させて確実に連結固定できるので、配管部材３３の本体１及び操作部３０への連結固定の強度を高めることができる。
【００３６】
また配管部材３３の長手方向の全域にスリット３６を設けたことにより、スリット３６を広げてその隙間から順次チューブ１１とリード線３１を配管部材３３内部に収納していくことが出来、操作手段３０と本体１間の配管部材３３へのチューブ１１とリード線３１の収納作業を容易にすることが出来る。
【００３７】
なお、配管部材３３の長手方向の全域にスリット３６を設けないようにすれば、操作手段３０と本体１間の配管部材３３内部へのゴミの侵入を防止することが出来る。
【００３８】
また操作部３０に酸素富化空気吐出手段７の保持部３７を設けたことにより、酸素富化空気吐出手段７を使用しない時に、それを保持部３７に引っ掛けておくことができ、また、使用時に直ぐに手に取れ、使用後は直ぐにまた収納でき使用性を向上させることができる。
【００３９】
さらに、保持部３７を操作部３０の取付部３８と一体にしたことにより、本体１の側面等に別途設ける必要が無く、また取付部３８と一体に設けられているため外観のデザイン性も良く、また違和感も無いものである。
【００４０】
図７は、本体１と操作部３０との他の接続例を示すもので、チューブ１１とリード線３１の本体１と操作部３０間の一部を配管部材３３に納め、その配管部材３３の一端を操作部３０に連結し、さらに本体１と操作部３０間のチューブ１１の長さをリード線３１の長さより短くしたもので、本体１と操作部３０の間に張力が加わったとしてもチューブ１１には張力が加わらず本体１の吐出口６や操作部３０の接続口３４からチューブ１１が抜けるのを防止できる。
【００４１】
また、配管部材３３の一端を操作部３０に連結したことにより、操作部３０と配管部材３３の間に張力が加わったとしても操作部３０と配管部材３３が連結されている為、配管部材３３内部のチューブ１１には張力が加わらず操作部３０の接続口３４からチューブ１１が抜けるのを防止でき、同様にリード線３１にも張力が加わらずリード線３１と操作手段である操作基板３２との間での断線を防止することができる。
【００４２】
図８は、本体１と操作部３０とのさらに他の接続例を示すもので、チューブ１１とリード線３１の本体１と操作部３０間の一部を配管部材３３に納め、配管部材３３の一端を本体１に連結したもので、本体１と配管部材３３の間に張力が加わったとしても本体１と配管部材３３が連結されている為、配管部材３３内部のチューブ１１には張力が加わらず本体１の吐出口６からチューブ１１が抜けるのを防止でき、同様にリード線３１にも張力が加わらずリード線３１と制御手段である基板１０との間での断線を防止することができる。
【産業上の利用可能性】
【００４３】
以上のように、本発明に係る酸素富化機は、遠隔操作が確実な操作手段を備え、見栄えが良好で且つ収納性にも優れさらに配線の断線や酸素富化空気を送る管の抜けなどが無く信頼性が高いもので、家庭用・店舗用・業務用などの特に常設タイプの酸素富化機に広く適用できる。
【図面の簡単な説明】
【００４４】
【図１】本発明の第１の実施の形態における酸素富化機の本体の正面図
【図２】同本体の側面図
【図３】（ａ）同本体の裏面図、（ｂ）同本体の外郭部品を取除いた裏面図
【図４】同本体の側面断面図
【図５】同酸素富化機の操作部の断面図
【図６】同酸素富化機の操作部の斜視図
【図７】本体と操作部との他の接続例を示す酸素富化機本体の側面図
【図８】本体と操作部との他の接続例を示す酸素富化機本体の側面図
【符号の説明】
【００４５】
１    酸素富化機本体（本体）
２    酸素富化膜ユニット（酸素富化手段）
３    吸気口
４    排気口
５    ポンプ（吸引手段）
６    吐出口
７    酸素富化空気吐出手段
１０  基板（制御手段）
１１  チューブ（空気通路手段）
３０  操作部
３１  リード線（電気情報伝達手段）
３２  操作基板（操作手段）
３３  配管部材（配管手段）
３６  スリット
３７  保持部
【図１】
2007296051.tif 000003
【図２】
2007296051.tif 000004
【図３】
2007296051.tif 000005
【図４】
2007296051.tif 000006
【図５】
2007296051.tif 000007
【図６】
2007296051.tif 000008
【図７】
2007296051.tif 000009
【図８】
2007296051.tif 000010